(57)【要約】【課題】設定操作を行う際に、作業手順を判りやすく表示することのできるショーケースの設定装置を提供することにある。【解決手段】操作部と表示部とを有し、ショーケースの設定項目のデータを設定するための設定手段を備え、通常は、前記表示部にデータを表示させ、操作部を操作して設定モードに切替えると、ショーケースの複数の設定項目に応じたデータを表示部に表示させるようにしたショーケースの設定装置において、前記設定手段により設定した複数の設定項目の中で、最初に操作した設定項目の操作回数を記憶する記憶手段と、前記設定手段の操作部の操作により設定モードに切り替えた際に、前記記憶手段から最初に操作回数が多い設定項目を呼び出して、前記表示部に表示させる制御手段とを備えたものである。【選択図】図１
2013009881.tif 000002
【特許請求の範囲】
【請求項１】
操作部と表示部とを有し、ショーケースの設定項目のデータを設定するための設定手段を備え、通常は、前記表示部にデータを表示させ、前記操作部を操作して設定モードに切り替わると、ショーケースの複数の設定項目に応じたデータを前記表示部に表示させるようにしたショーケースの設定装置において、前記設定手段により設定した複数の設定項目の中で、最初に操作した設定項目の操作回数を記憶する記憶手段と、前記設定手段の操作部の操作により設定モードに切り替えた際に、前記記憶手段から最初に操作回数が多い設定項目を呼び出して、前記表示部に表示させる制御手段とを備えたことを特徴とするショーケースの設定装置。
【請求項２】
操作部と表示部とを有し、ショーケースの設定項目のデータを設定するための設定手段を備え、通常は、前記表示部にデータを表示させ、前記操作部を操作して設定モードに切り替わると、ショーケースの複数の設定項目に応じたデータを前記表示部に表示させるようにしたショーケースの設定装置において、前記設定手段により設定した複数の設定項目を操作した順序を初回操作から時系列にて記憶するとともに、該時系列に対応してその設定項目の操作回数を記憶する記憶手段と、前記設定手段の操作部の操作により設定モードに切り替え、前記操作部が操作される毎に、前記記憶手段から操作回数が多い設定項目を前記時系列に基づき順次呼び出して前記表示部に表示させる制御手段とを備えたことを特徴とするショーケースの設定装置。
【請求項３】
請求項２に記載のショーケースの設定装置において、前記制御手段は、設定手段により一つの設定項目が設定されると、前記記憶手段から前記一つの設定項目が設定された際に、次に操作が行われた中で操作回数の多い設定項目を読み出して前記表示部に表示させることを特徴とするショーケースの設定装置。
【発明の詳細な説明】
【技術分野】
【０００１】
この発明は、店舗内のショーケースの運転条件を設定するためのショーケースの設定装置に関する。
【背景技術】
【０００２】
まず、従来、店舗に設置されているショーケースは、周知のとおり商品が陳列される庫内と冷気循環通路とが形成され、ファンにより冷却器を通して冷気循環通路及びケース本体の前面を循環する冷気にて庫内が所定の温度の保冷されている。なお、庫内には上下に数段の商品陳列棚が設けられ、その上に多数の商品が並べて展示されている。
【０００３】
このショーケースの各種設定については、例えば、ショーケースの前面上部にキー入力手段（切換キー、送りキー、戻りキー）と表示パネルとを備えた表示部を配置し、この表示部のキー入力手段の切換キーを押すことにより、順次設定項目である温調の設定温度、除霜間隔、水切り時間などの設定項目を表示させ、前記キー入力手段の送りキー、戻りキーを押して設定値を変更し、各設定を行っている設定装置が知られている（例えば、特許文献１参照）。
【先行技術文献】
【特許文献】
【０００４】
【特許文献１】特開平９−１４５２１７号公報
【発明の概要】
【発明が解決しようとする課題】
【０００５】
ところで、前記ショーケースによる設定では、よく使用する設定項目または最初に設定を行い、その後、殆ど設定を変更しない設定項目など様々である。
【０００６】
また、ショーケースは、例えば同じ機種であっても、陳列する商品の種類によって設定温度が異なるため、除霜運転の設定が異なる場合があり、あるいは、同じ飲料用ショーケースであっても、牛乳などは品質維持のために終日冷却が必要であるが、缶飲料などは節電を目的にタイマ運転の設定（閉店後はオフ）を行うなど、設定項目や内容は運用方法により様々である。
【０００７】
しかしながら、特許文献１におけるショーケースの設定では、切換キーによる設定項目の順次切換方式であるため、設定項目は、予め決められている順序で切り換わるだけであり、設定したい項目が必ずしも優先的に並んでおらず、また、ショーケースの機種によっても設定項目は異なるため、このような順次切換方式の設定手順では、目的の設定項目に切り換える操作が増えたり、設定項目の順序が前後したりする可能性があり、操作性が悪いと問題があった。
【０００８】
そこで、本発明は、上記問題を解決するためになされたものであり、設定作業の際に設定する機種、設定項目における順序に関し、操作の利便性を向上させることのできるショーケースの設定装置を提供することを目的とするものである。
【課題を解決するための手段】
【０００９】
上記目的を達成するために、本発明のショーケースは、操作部と表示部とを有し、ショーケースの設定項目のデータを設定するための設定手段を備え、通常は、前記表示部にデータを表示させ、前記操作部を操作して設定モードに切り替わると、ショーケースの複数の設定項目に応じたデータを前記表示部に表示させるようにしたショーケースの設定装置において、前記設定手段により設定した複数の設定項目の中で、最初に操作した設定項目の操作回数を記憶する記憶手段と、前記設定手段の操作部の操作により設定モードに切り替えた際に、前記記憶手段から最初に操作回数が多い設定項目を呼び出して、前記表示部に表示させる制御手段とを備えたことを特徴とする。
【００１０】
また、操作部と表示部とを有し、ショーケースの設定項目のデータを設定するための設定手段を備え、通常は、前記表示部にデータを表示させ、前記操作部を操作して設定モードに切り替わると、ショーケースの複数の設定項目に応じたデータを前記表示部に表示させるようにしたショーケースの設定装置において、前記設定手段により設定した複数の設定項目を操作した順序を初回操作から時系列にて記憶するとともに、該時系列に対応してその設定項目の操作回数を記憶する記憶手段と、前記設定手段の操作部の操作により設定モードに切り替え、前記操作部が操作される毎に、前記記憶手段から操作回数が多い設定項目を前記時系列に基づき順次呼び出して前記表示部に表示させる制御手段とを備えたことを特徴とする。
【００１１】
前記ショーケースの設定装置において、前記制御手段は、設定手段により一つの設定項目が設定されると、前記記憶手段から前記一つの設定項目が設定された際に、次に操作が行われた中で操作回数の多い設定項目を読み出して前記表示部に表示させることを特徴とする。
【発明の効果】
【００１２】
本発明によれば、設定手段により設定した複数の設定項目の中で、最初に操作した設定項目の操作回数を記憶する記憶手段と、前記設定手段の操作部の操作により設定モードに切り替えた際に、前記記憶手段から最初に操作回数が多い設定項目を呼び出して、前記表示部に表示させる制御手段とを備えたことにより、ショーケースの設定を行う際に、初回に用いる設定項目を操作回数の多い順に表示させることができるため、設定操作の利便性が向上するものである。
【００１３】
また、前記設定手段により設定した複数の設定項目を操作した順序を初回操作から時系列にて記憶するとともに、該時系列に対応してその設定項目の操作回数を積算して記憶する記憶手段と、前記設定手段の操作部の操作により設定モードに切り替え、操作部が操作される毎に前記記憶手段から操作回数が多い設定項目を順次呼び出して前記表示部に表示させる制御手段とを備えたことにより、設定操作の利便性が向上するものである。
【００１４】
前記ショーケースの設定装置において、前記制御手段は、設定手段により一つの設定項目が設定されると、前記記憶手段から前記一つの設定項目が設定された際に次に操作が行われた中で操作回数の多い設定項目を読み出して前記表示部に表示させることにより、操作不慣れであっても、複数の設定操作を順次行えるものである。
設定を簡略化できる。
【図面の簡単な説明】
【００１５】
【図１】本発明の実施の形態によるショーケースの制御装置を示す制御ブロック図である。
【図２】本発明の図１に示すショーケースの操作・表示部の概略拡大正面図である。
【図３】本発明の対象となるショーケースの概略構成図であり、図３（ａ）は側面図、図３（ｂ）は正面図である。
【図４】本発明の実施の形態による設定項目一覧・操作履歴を示す図であり、図４（ａ）は設定項目一覧を示す図、図４（ｂ）は初回操作項目の操作回数の記憶内容を示す図、図４（ｃ）は、次操作項目以降の操作回数の記憶内容を示す図である。
【図５】本発明の実施の形態による設定操作項目の表示項目の一例を示す図である。
【発明を実施するための形態】
【００１６】
以下、本発明の実施の形態を図１ないし図５に基づいて説明する。
【００１７】
図１は、本発明の実施の形態のショーケースの制御ブロック図、図２は、操作・表示部１０の概略拡大正面図、図３は、本発明の対象となるショーケースの一例を示す図、図４は、本発明の実施の形態による設定項目一覧・操作履歴を示す図、図５は、本発明の実施の形態による設定操作項目の操作手順の一例を示す図である。
【００１８】
まず、図３を用いて、ショーケースの全体構成を説明するものであり、図３（ａ）は内部構造を側方から見た場合を示す概略側面図、図３（ｂ）は概略正面図である。
【００１９】
ショーケース本体１は、前面に開口２が形成された略直方状の断熱筐体であり、その内部には収納室３を構成し、収納室３の外周を囲むように冷気循環通路４が設けられている。
【００２０】
収納室３は、上記開口２を臨むように画成された室であり、複数の商品陳列棚５が上下方向に沿って複数段に設けてある。商品陳列棚５は、それぞれ収納対象となる商品を陳列するためのものであり、前面に商品名、価格などを表示するプライスカードレール６を備えている。
【００２１】
冷気循環通路４は、収納室３の外周を囲むように、下方ダクト４ｂ、背面側にある背面ダクト４ｃ、天井ダクト４ｄを互いに連通した態様で構成し、その下方ダクト４ｂの入口側にはエアカーテンの吸込口４ａ，天井ダクト４ｄの出口側にはエアカーテンの吹出口４ｅが設けられている。また、この冷気循環通路４の背面ダクト４ｃ内にはファン７および蒸発器８が設けられている。
【００２２】
蒸発器８は、図示しないが、圧縮機、凝縮器及び膨張弁とともに冷媒を循環させて収納室３の商品を保冷する冷気循環手段を構成する。これら圧縮機、凝縮器及び膨張弁は、ショーケース本体１の内部であって収納室３の下方域に画成された機械室９に設けられている。
【００２３】
ショーケース本体１の前面上部には、操作・表示部（設定手段）１０を備えている。
【００２４】
このショーケースの保冷運転時には、ファン７が駆動することにより蒸発器８を通して冷気循環通路４及びケース本体１の前面を循環する冷気にて収納室３が所定の温度に保冷され、庫内の商品陳列棚５に陳列した商品を保冷するものである。
【００２５】
上記した操作・表示部１０は、図２の概略拡大正面図を示すように、操作部１０１、表示器１０２からなり、操作部１０１は、切替スイッチ１０１ａ、アップ・ダウンキー１０１ｂ、決定スイッチ１０１ｃから構成されている。
【００２６】
表示器１０２は、現在の温度、設定あるいは確認時におけるデータを表示するものである。
【００２７】
切替スイッチ１０１ａは、表示状態から設定モードに変更するときに押すスイッチであり、切替スイッチ１０１ａを長押しすると全設定項目の設定および確認を行う詳細設定・確認モードに、短押しすると、本実施対象となる操作回数および操作順序の履歴に基づく設定・確認を行う設定・確認モードとし、それぞれのモードに応じて表示器１０２の表示形態を変更する。
【００２８】
また、切替スイッチ１０１ａは、それぞれの設定モードにおいて設定項目を切り替えるためのスイッチも兼用している。
【００２９】
アップ・ダウンキー１０１ｂは、設定時に表示器１０２に表示されたデータを変更するために数値をアップ・ダウンするためのキーである。
【００３０】
決定スイッチ１０１ｃは、切替スイッチ１０１ａにて切り替えた設定項目に関し、項目を設定する際および入力したデータを決定する際に操作するスイッチである。
【００３１】
図１は、ショーケースの制御ブロック図を示すものであって、コントローラ部（制御手段）１１は、ショーケース全体を統括して制御するものであり、ショーケース前面上部の操作・表示部１０（図２参照）、温調用温度センサ、庫内温度表示用センサ、除霜用温度センサ、外気温度センサなどのショーケース本体１の所定位置に配置されている各種センサ１２が接続されている。
【００３２】
コントローラ部１１は、制御プログラムを記憶する記憶部１１ａ、設定項目、設定データ、操作履歴（回数・操作順序）などを記憶する記憶部（記憶手段）１１ｂを備えており、この設定されているデータと各種センサ１２からのデータとを対比して本実施形態のショーケースの運転を制御する。
【００３３】
この構成において、図４の設定項目一覧・操作履歴を示す図及び図５の設定操作項目の表示項目の一例を示す図を用いて、以下の設定処理について説明する。
【００３４】
ここで、図４の記憶部１１ｂに記憶されている設定項目一覧・操作履歴を示すものであり、図４（ａ）は設定項目一覧を、図４（ｂ）は初回操作項目の操作回数の記憶内容を、図４（ｃ）は、次操作項目以降の操作回数の記憶内容をそれぞれ示すものである。
【００３５】
まず、通常の表示状態において、操作・表示部１０の切替スイッチ１０１ａを短押しすると、本実施対象となる操作回数および操作順序の履歴に基づく設定・確認を行う設定・確認モードに切り替わり、表示器１０２には、記憶部１１ｂから図４（ｂ）に示すように、初回操作項目の操作回数の中から最も操作回数の多いNo.１−１（運転切替）が表示される（図５のＳ１）。
【００３６】
現在の設定状態が温蔵状態の場合、表示器１０２の表示は温蔵であり、アップ・ダウンキー１０１ｂを操作して温蔵から冷蔵に切り替えると、表示器１０２の表示は冷蔵に切り替わり、決定スイッチ１０１ｃを押すと、運転状態が「冷蔵」に切り替わるとともに、記憶部１１ｂの所定領域に初回操作項目（No.１−１）の操作回数に「＋１」が加算されて記憶される。
【００３７】
次に、運転切替（冷蔵）が設定されると、記憶部１１ｃから図４（ｃ）に示すように、No.１−１（運転切替）が設定された後、次に操作される項目として、次項目１欄に記載のように操作回数の中から最も操作回数の多いNo.１−３（冷却温度）、すなわち、冷却の現設定温度が表示器１０２に表示される（図５のＳ２）。
【００３８】
次に、アップ・ダウンキー１０１ｂを操作して、冷却温度（−３０℃〜１０℃）を入力し、決定スイッチ１０１ｃを押すと、記憶部１１ｂの所定領域に、新たに設定された冷却温度および次項目１（No.１−３）の操作回数に「＋１」が加算されて記憶される。
【００３９】
次に、No.１−３（冷却温度）が設定されたため、記憶部１１ｂから図４（ｃ）に示すように、No.１−３（冷却温度）が設定された後、次に操作される項目として、次項目１欄に記載のように操作回数の中から最も操作回数の多いNo.２−１（風量）、現風量（強／中／弱／停止）が表示器１０２に表示される（図５のＳ３）。
【００４０】
次に、アップ・ダウンキー１０１ｂを操作して、風量（強／中／弱／停止）を入力し、決定スイッチ１０１ｃを押すと、記憶部１１ｂの所定領域に、新たに設定された風量および次項目１（No.２−１）の操作回数に「＋１」が加算されて記憶される。
【００４１】
次に、No.２−１（風量）が設定されたため、記憶部１１ｂから図４（ｃ）に示すように、No.２−１（風量）が設定された後、次に操作される項目として、次項目１欄に記載のように操作回数の中から最も操作回数の多いNo.４−１（除霜運転）、すなわち、現在の除霜運転の状態（ＯＮ／ＯＦＦ）が表示器１０２に表示される（図５のＳ４）。
【００４２】
次に、アップ・ダウンキー１０１ｂを操作して、除霜運転（ＯＮ）を入力し、決定スイッチ１０１ｃを押すと、記憶部１１ｂの所定領域に、新たに設定された除霜運転のＯＮ状態および次項目１（No.４−１）の操作回数に「＋１」が加算されて記憶される。
【００４３】
次に、No.４−１（除霜運転）が設定されたため、記憶部１１ｂから図４（ｃ）に示すように、No.４−１（除霜運転）が設定された後、次に操作される項目として、次項目１欄に記載のように操作回数の中から最も操作回数の多いNo.４−２（除霜時間）、すなわち、現在の除霜時間が表示器１０２に表示される（図５のＳ５）。
【００４４】
次に、アップ・ダウンキー１０１ｂを操作して、除霜時間（０〜６０分）を入力し、決定スイッチ１０１ｃを押すと、記憶部１１ｂの所定領域に、新たに設定された除霜時間および次項目１（No.４−２）の操作回数に「＋１」が加算されて記憶される。
【００４５】
次に、No.４−２（除霜時間）が設定されたため、記憶部１１ｂから図４（ｃ）に示すように、No.４−２（除霜時間）が設定された後、次に操作される項目として、次項目１欄に記載のように操作回数の中から最も操作回数の多いNo.４−３（水切時間）、すなわち、現在の水切時間が表示器１０２に表示される（図５のＳ６）。
【００４６】
次に、アップ・ダウンキー１０１ｂを操作して、水切時間（０〜６０分）を入力し、決定スイッチ１０１ｃを押すと、記憶部１１ｂの所定領域に、新たに設定された水切時間および次項目１（No.４−３）の操作回数に「＋１」が加算されて記憶される。
【００４７】
次に、No.４−３（水切時間）が設定されたため、記憶部１１ｂから図４（ｃ）に示すように、No.４−３（水切時間）が設定された後、次に操作される項目として、次項目１欄に記載のように操作回数の中から最も操作回数の多いNo.５−１（防露処理）、すなわち、現在の防露処理の状態（ＯＮ／ＯＦＦ）が表示器１０２に表示される（図５のＳ７）。
【００４８】
次に、アップ・ダウンキー１０１ｂを操作して、防露処理（ＯＮ／ＯＦＦ）を入力し、決定スイッチ１０１ｃを押すと、記憶部１１ｂの所定領域に、新たに設定された防露処理および次項目１（No.５−１）の操作回数に「＋１」が加算されて記憶される。
【００４９】
次に、No.５−１（防露処理）が設定されたため、記憶部１１ｂから図４（ｃ）に示すように、No.５−１（防露処理）が設定された後、次に操作される項目としては無いため、待機状態に戻る。
【００５０】
また、待機状態に戻すには、例えば、決定スイッチ１０１ｃを長押し、あるいはアップ・ダウンキー１０１ｂを長押して、さらに、一定時間の間、何も操作されなければ、待機状態に戻るようにしてもよい。
【００５１】
一方、初回操作項目の操作回数の中から最も操作回数の多いNo.１−１（運転切替）が表示されている状態で、温蔵と設定した場合には、記憶部１１ｃから図４（ｃ）に示すように、No.１−１（運転切替）が設定された後、次に操作される項目として、次項目１欄に記載のように操作回数の中から最も操作回数の多いNo.１−３（冷却温度）が表示される。
【００５２】
次に、今回の運転切替の設定は「温蔵」であるとすると、冷却温度の設定は行わないため、ここで、切替スイッチ１０１ａを短押しすると、次項目２欄を参照して、運転切替の設定が行われた後、No.１−３（冷却温度）の設定の次に操作回数の多いNo.１−２（加熱温度）が表示器１０２に表示される。
【００５３】
次に、アップ・ダウンキー１０１ｂを操作して、加熱温度（０℃〜５０℃）を入力し、決定スイッチ１０１ｃを押すと、新たに設定された加熱温度および記憶部１１ｂの所定領域に記憶される次項目の操作回数に「＋１」が加算されて記憶される。
【００５４】
次に、No.１−２（加熱温度）が設定されたため、記憶部１１ｂから図４（ｃ）に示すように、No.１−２（加熱温度）が設定された後、次に操作される項目として、次項目１欄に記載のように操作回数の中から最も操作回数の多いNo.３−１（異常加熱温度）のＯＮ／ＯＦＦ設定となり、現在の異常加熱温度の状態（ＯＮ／ＯＦＦ）が表示器１０２に表示される。
【００５５】
続いての操作は、先の冷却温度設定〜防露処理設定と同様に次項目１欄を参照して順次設定するものであり、簡単に説明すると、No.３−１（異常加熱温度）の設定の後は、図４（ｃ）に示すように、順にNo.３−２（監視温度）、No.６−１（タイマ運転）、No.６−２（起動時刻）、No.６−３（停止時刻）の設定となり、設定を終了する。
【００５６】
このように、次項目１を設定しない場合に、次項目２欄が記憶されている場合には、切替スイッチ１０１ａの操作によりその次項目２を呼び出して、設定を行うようにする。
【符号の説明】
【００５７】
１          ショーケース本体
１０        操作・表示部
１０１      操作部
１０２      表示器
１０１ａ    切替スイッチ
１０１ｂ    アップ・ダウンキー
１０１ｃ    決定スイッチ
１１        コントローラ部
１１ａ      記憶部
１１ｂ      記憶部
１２        各種センサ
【図１】
2013009881.tif 000003
【図２】
2013009881.tif 000004
【図３】
2013009881.tif 000005
【図４】
2013009881.tif 000006
【図５】
2013009881.tif 000007